(57)【要約】  配線基板において簡易な構造により包理樹脂の機能性を確保して、信頼性を向上させる。  配線基板は、基材を貫通する貫通孔と、その貫通孔の側壁に沿って形成された導体とを備える。この配線基板においては、貫通孔の側壁に沿って形成された導体の内側に、複数種類の絶縁体が充填される。複数種類の絶縁体のうち特定の種類の絶縁体は、他の種類の絶縁体よりも密着性を高くすることができる。他の種類の絶縁体は、特定の種類の絶縁体よりも膨張率を低くすることができる。このように複数種類の絶縁体を充填することにより、包理樹脂の機能性を確保する。
2020031521.tif 000002
【特許請求の範囲】
【請求項１】
基材と、
前記基材を貫通する孔と、
前記孔の側壁に沿って形成された導体と、
前記導体の内側に充填された複数種類の絶縁体と
を具備する配線基板。
【請求項２】
前記複数種類の絶縁体のうち特定の種類の絶縁体は、他の種類の絶縁体よりも密着性が高く、
前記他の種類の絶縁体は、前記特定の種類の絶縁体よりも膨張率が低い
請求項１記載の配線基板。
【請求項３】
前記特定の種類の絶縁体は、前記導体を被覆し、
前記他の種類の絶縁体は、前記導体の内側に形成される
請求項２記載の配線基板。
【請求項４】
前記特定の種類の絶縁体は、前記導体の内側において互いに孔径方向に繋がる部分を備える
請求項３記載の配線基板。
【請求項５】
前記特定の種類の絶縁体と前記他の種類の絶縁体の孔径方向における面積比は、貫通方向に対して変化する
請求項３記載の配線基板。
【請求項６】
前記他の種類の絶縁体は、前記特定の種類の絶縁体とは異なる種類の粒状の絶縁体を含む
請求項３記載の配線基板。
【請求項７】
前記特定の種類の絶縁体は、粒状の絶縁体であり、
前記他の種類の絶縁体は、前記粒状の絶縁体の隙間に充填される
請求項２記載の配線基板。
【請求項８】
前記粒状の絶縁体は、前記導体との接触部において前記導体の形状に沿って変形した状態を有する
請求項７記載の配線基板。
【請求項９】
前記粒状の絶縁体は、他の前記粒状の絶縁体との接触部において互いの形状に沿って変形した状態を有する
請求項７記載の配線基板。
【請求項１０】
前記貫通する孔の一方の開口部を塞ぐ他の導体をさらに具備する請求項１記載の配線基板。
【請求項１１】
前記基材は、シリコンまたはガラスである
請求項１記載の配線基板。
【請求項１２】
貫通する孔と前記孔の側壁に沿って形成された導体とを備える基材の少なくとも一方の面に複数種類の絶縁体からなるシート材を貼る工程と、
真空下で圧力を加えて前記シート材を前記導体の内側に充填させる工程と
を具備する配線基板の製造方法。
【請求項１３】
貫通する孔と前記孔の側壁に沿って形成された導体とを備える基材の一方の面から粒状の絶縁体を含む複数種類の絶縁体を前記導体の内側に供給する工程と、
前記基材の一方の面から前記導体の内側の前記複数種類の絶縁体に圧力を印加する工程と
を具備する配線基板の製造方法。
【発明の詳細な説明】
【技術分野】
【０００１】
本技術は、配線基板に関する。詳しくは、基材を貫通する孔を備える配線基板およびその製造方法に関する。
【背景技術】
【０００２】
近年、半導体チップおよび外部接続装置を用いた半導体装置は、電子機器、自動車等の多くの製品に用いられている。そして、それらの製品の高性能化、小型化、軽量化が進むなかで、半導体装置の小型化、多ピン化、外部接続端子のファインピッチ化が求められている。従来、半導体基板の材料としては、エポキシ樹脂およびそれをガラス繊維に含浸させたガラエポ材料など、有機材料が多く用いられてきた。この有機材料においては、その多くについて、吸水率が比較的高く、また、シリコン製の半導体チップと比較して温度による収縮や膨張が大きいため、半導体チップとスケールの整合をとった微細配線の形成が困難であった。また、半導体チップと接続した後の信頼性の確保という面で問題を有していた。【０００３】
そこで、有機材料に代わる半導体基板の材料として、シリコンやガラスが注目されている。これらは、吸湿、温度による伸縮が、有機材料と比べて、大きく低減されているため、微細配線の形成、および、半導体チップとの接続信頼性という面で、大きなメリットを有している。【０００４】
両者を比較すると、シリコンを材料とする基板は、半導体チップ製造のノウハウを利用して、ガラス基板よりもさらに微細な配線形成が可能であり、さらに貫通電極（ＴＳＶ：Through-Silicon-Via）形成プロセスも確立されているという長所がある。一方、シリコンの形状が円盤型に限定され、ウェハー周辺部が利用できず、また、大型サイズでの製造が困難であるという短所もある。これに対して、ガラス基板においては、未だ製造プロセスが確立していない反面、ディスプレイ材料などでのノウハウを利用しての大型化が可能である。さらに、電気特性での比較を考えると、シリコン基板が半導体なのに対し、ガラス基板は絶縁体であるため、高速伝送回路においても、寄生容量発生の懸念がなく、より電気特性に優れているといえる。そもそも、ガラス基板の場合は、その表面に絶縁膜を形成する工程自体が不要であるため、本質的に絶縁信頼性が高く、また、工程の短縮という点においても有利である。【０００５】
以上のように、多くの利点を持つガラス基板であるが、製造プロセスがまだ十分に確立していないという問題がある。とくに、その脆性ゆえに、表面の電気的導通をとるのに必要な貫通電極（ＴＧＶ：Through-Glass-Via）の形成に困難性が伴う点と、配線材料の主流である銅との密着が弱いことによる、配線形成の確実性が高くない点とに課題がある。【０００６】
このようなガラス基板について、ガラス基板表裏面と貫通孔内の導電層との間の接続信頼性を向上させるために、包理樹脂をへこませて、ビア配線部と表裏面配線部との接触面積を広くした配線基板が提案されている（例えば、特許文献１参照。）。
【先行技術文献】
【特許文献】
【０００７】
【特許文献１】特開２０１７−２２８７２７号公報
【発明の概要】
【発明が解決しようとする課題】
【０００８】
上述の従来技術では、ビア配線部と表裏面配線部との接触面積を広くすることにより配線間の剥離を抑制している。しかしながら、この上述の従来技術では、へこみを設けるための工程が増えるとともに、へこみ量の管理も難しくなり、歩留りが低下するなどの問題がある。【０００９】
本技術はこのような状況に鑑みて生み出されたものであり、配線基板において簡易な構造により包理樹脂の機能性を確保して、信頼性を向上させることを目的とする。
【課題を解決するための手段】
【００１０】
本技術は、上述の問題点を解消するためになされたものであり、その第１の側面は、基材と、上記基材を貫通する孔と、上記孔の側壁に沿って形成された導体と、上記導体の内側に充填された複数種類の絶縁体とを具備する配線基板である。これにより、複数種類の絶縁体を貫通孔の内側に充填して、それぞれの絶縁体による性質を発揮させるという作用をもたらす。【００１１】
また、この第１の側面において、上記複数種類の絶縁体のうち特定の種類の絶縁体は、他の種類の絶縁体よりも密着性が高く、上記他の種類の絶縁体は、上記特定の種類の絶縁体よりも膨張率が低いものを利用してもよい。これにより、高い密着性と低膨張率という両者の絶縁体による性質を発揮させるという作用をもたらす。【００１２】
また、この第１の側面において、上記特定の種類の絶縁体は、上記導体を被覆し、上記他の種類の絶縁体は、上記導体の内側に形成されてもよい。これにより、導体との密着性を確保しながら、膨張による影響を低減するという作用をもたらす。【００１３】
また、この第１の側面において、上記特定の種類の絶縁体は、上記導体の内側において互いに孔径方向に繋がる部分を備えてもよい。【００１４】
また、この第１の側面において、上記特定の種類の絶縁体と上記他の種類の絶縁体の孔径方向における面積比は、貫通方向に対して変化するようにしてもよい。【００１５】
また、この第１の側面において、上記他の種類の絶縁体は、上記特定の種類の絶縁体とは異なる種類の粒状の絶縁体を含んでもよい。【００１６】
また、この第１の側面において、上記特定の種類の絶縁体は、粒状の絶縁体であり、上記他の種類の絶縁体は、上記粒状の絶縁体の隙間に充填されてもよい。これにより、粒状の絶縁体により導体との密着性を確保しながら、膨張による影響を低減するという作用をもたらす。【００１７】
また、この第１の側面において、上記粒状の絶縁体は、上記導体との接触部において上記導体の形状に沿って変形した状態を有してもよく、また、他の上記粒状の絶縁体との接触部において互いの形状に沿って変形した状態を有してもよい。これにより、密着性を確保しながら、膨張による影響を低減するという作用をもたらす。【００１８】
また、この第１の側面において、上記貫通する孔の一方の開口部を塞ぐ他の導体をさらに具備してもよい。すなわち、有底ビア構造に適用してもよい。【００１９】
また、この第１の側面において、上記基材は、シリコンまたはガラスであってもよい。これらは線膨張率の低い材料であるが、貫通孔の内側に複数種類の絶縁体を充填することにより、基材と絶縁体との親和性を調整するという作用をもたらす。【００２０】
また、本技術の第２の側面は、貫通する孔と上記孔の側壁に沿って形成された導体とを備える基材の少なくとも一方の面に複数種類の絶縁体からなるシート材を貼る工程と、真空下で圧力を加えて上記シート材を上記導体の内側に充填させる工程とを具備する配線基板の製造方法である。これにより、簡易な手法により複数種類の絶縁体を充填させるという作用をもたらす。【００２１】
また、本技術の第３の側面は、貫通する孔と上記孔の側壁に沿って形成された導体とを備える基材の一方の面から粒状の絶縁体を含む複数種類の絶縁体を上記導体の内側に供給する工程と、上記基材の一方の面から上記導体の内側の上記複数種類の絶縁体に圧力を印加する工程とを具備する配線基板の製造方法である。これにより、簡易な手法により複数種類の絶縁体を充填させるという作用をもたらす。
【発明の効果】
【００２２】
本技術によれば、配線基板において簡易な構造により包理樹脂の機能性を確保して、信頼性を向上させることができるという優れた効果を奏し得る。なお、ここに記載された効果は必ずしも限定されるものではなく、本開示中に記載されたいずれかの効果であってもよい。
【図面の簡単な説明】
【００２３】
【図１】本技術の第１の実施の形態における配線基板１０の構造例を示す断面図である。
【図２】本技術の第１の実施の形態における配線基板１０の製造方法の一例を示す工程図である。
【図３】本技術の第１の実施の形態における配線基板１０の他の構造例を示す断面図である。
【図４】本技術の第１の実施の形態における配線基板１０のさらに他の構造例を示す断面図である。
【図５】本技術の第２の実施の形態における配線基板１０の構造例を示す図である。
【図６】本技術の第２の実施の形態における配線基板１０の製造方法の一例を示す工程図である。
【図７】本技術の第２の実施の形態における配線基板１０の他の構造例を示す断面図である。
【図８】本技術の第２の実施の形態における配線基板１０のさらに他の構造例を示す断面図である。
【図９】本技術の実施の形態における配線基板１０の製造方法の第１の変形例を示す工程図である。
【図１０】本技術の実施の形態における配線基板１０の製造方法の第２の変形例を示す工程図である。
【発明を実施するための形態】
【００２４】
以下、本技術を実施するための形態（以下、実施の形態と称する）について説明する。説明は以下の順序により行う。
１．第１の実施の形態（充填材料として感光性シートレジストを用いた例）
２．第２の実施の形態（充填材料として絶縁粒子を用いた例）
３．変形例（レーザによる開口加工を用いた例）
【００２５】
＜１．第１の実施の形態＞
［配線基板の構造］
図１は、本技術の第１の実施の形態における配線基板１０の構造例を示す断面図である。
【００２６】
この配線基板１０は、基材１００として、ガラスやシリコンなどの線膨張率（ＣＴＥ：Coefficient of Thermal Expansion）の低い材料を想定する。この配線基板１０は、基材１００の表面から裏面に貫通する貫通孔（ビア）１１０を備える。
【００２７】
貫通孔１１０の内側には、側壁に沿って導体１２０が形成される。この導体１２０としては、例えば銅（Ｃｕ）などの伝導金属が用いられる。この導体１２０は、例えば、全面スパッタにより銅のスパッタ膜を形成し、めっき溶液に浸して成長させることにより、銅被膜として形成される。
【００２８】
基材１００として、線膨張率の低い材料を用いた場合、貫通孔１１０に標準的な樹脂を包埋すると、その線膨張率の差から配線が応力的なダメージを受け、導通不良が発生するおそれがある。そこで、貫通孔１１０の導体１２０の内側には、複数種類の絶縁体を充填する。すなわち、この第１の実施の形態の配線基板１０は、貫通孔１１０に同軸形状にて樹脂を包埋させた多重構造を備える。
【００２９】
この例では、２種類の絶縁体２１０および２２０が示されている。特定の種類の絶縁体２１０は、他の種類の絶縁体２２０よりも密着性が高いものが採用される。他の種類の絶縁体２２０は、特定の種類の絶縁体２１０よりも膨張率が低いものが採用される。これにより、絶縁体２１０によって配線密着性、誘電率など、機能性を高めつつも、絶縁体２２０によって応力緩和などの効果を持たせることができる。そして、高い信頼性を保ちつつも、ビア設計の自由度、伝送特性などを高めることが可能となる。
【００３０】
この第１の実施の形態においては、絶縁体２１０および２２０の２層構造を有する感光性シートレジストを、真空ラミネート法によって貫通孔１１０に包理させることを想定する。
【００３１】
同図におけるａは、内側の絶縁体２２０が外側の絶縁体２１０によって分断されている例を示している。すなわち、特定の種類の絶縁体２１０は、導体１２０の内側において互いに貫通孔１１０の孔径方向に繋がる部分を備える。
【００３２】
一方、同図におけるｂは、内側の絶縁体２２０が外側の絶縁体２１０によって分断されない例を示している。すなわち、他の種類の絶縁体２２０は、導体１２０の内側において互いに貫通孔１１０の貫通方向（深さ方向）に繋がる部分を備える。
【００３３】
この第１の実施の形態では、絶縁体２１０および２２０は、同図におけるａおよびｂのいずれの状態も想定し得る。いずれにおいても、絶縁体２１０は導体１２０を被覆し、絶縁体２２０は導体１２０の内側に形成される。
【００３４】
外側の絶縁体２１０と内側の絶縁体２２０の孔径方向における断面積の比は、貫通方向（深さ方向）に対して変化する。すなわち、同図におけるａおよびｂに示すように、絶縁体２１０および２２０の面積は一様ではない。
【００３５】
なお、この例では１つの配線基板１０について示しているが、他の配線基板と積層して積層基板の一部として配線基板１０を用いてもよい。
【００３６】
［配線基板の製造方法］
図２は、本技術の第１の実施の形態における配線基板１０の製造方法の一例を示す工程図である。
【００３７】
同図におけるａに示すように、絶縁体２１０および２２０の２層構造を有する感光性シートレジストが、基材１００の表面および裏面に貼り合わされる。その際、密着性の高い絶縁体２１０が基材１００と接触するように、感光性シートレジストの表裏が決定される。
【００３８】
同図におけるｂに示すように、感光性シートレジストを貼り合せた状態で、真空下で温度を上げて、圧力を印加する（真空ラミネート法）。これにより、感光性シートレジストを形成する絶縁体２１０および２２０が、貫通孔１１０に包理される。
【００３９】
その後、リソグラフィおよび現像処理により不要部分が除去されて、同図におけるｃに示す多重構造が得られる。
【００４０】
貫通孔１１０の中央部に充填される絶縁体２２０の一例として、シリコン系の応力緩和材が挙げられる。具体的な製品名としては、「１液エラストマータイプＪＣＲ６１０１ ＵＰ」（東レ社）などである。この仕様の場合、ＣＴＥ：３００ｐｐｍ、ヤング率：約１．２ＭＰａである。この絶縁体２２０を絶縁体２１０と積層して、フィルム状に加工し、真空ラミネート法にて同時に充填させることが想定される。絶縁体２１０としては、従来の密着性の高い低誘電率の樹脂を用いることができる。また、後述するように、最初に絶縁体２１０を充填した後に、レーザーなどで開口加工を施し、その後、ディスペンサなどを用いて絶縁体２２０を液状で注入してもよい。
【００４１】
［有底ビア構造］
図３は、本技術の第１の実施の形態における配線基板１０の他の構造例を示す断面図である。
【００４２】
上述の例では、絶縁体２１０および２２０を基材１００の両面から充填する例について説明したが、基材１００の一方の面のみから充填するようにしてもよい。そのような例として、導体１２０が貫通孔１１０の一方の開口部を塞ぐように形成されている構造（有底ビア構造）を想定する。
【００４３】
この場合、上述の真空ラミネート法では、基材１００の片面に感光性シートレジストを貼り合せて、真空下で圧力を印加することになる。
【００４４】
なお、この例では、貫通孔１１０の一方の開口部に底（導体１２０）を形成する例について説明したが、基材１００の片面から孔を形成して、その孔の底部に導体１２０を形成してもよい。
【００４５】
［くびれ構造］
図４は、本技術の第１の実施の形態における配線基板１０のさらに他の構造例を示す断面図である。
【００４６】
上述の例では、貫通孔１１０の形状として、基材１００を垂直に貫通する孔を想定していた。それに対し、この構造例では、貫通孔１１０の一部においてくびれた形状を備える。この場合、導体１２０は貫通孔１１０の側壁に沿って形成されるため、同様にくびれた形状を備える。
【００４７】
このくびれ構造により、貫通孔１１０に充填される絶縁体２１０および２２０による膨張力の影響を抑制するという効果が得られる。
【００４８】
このように、本技術の第１の実施の形態では、絶縁体２１０および２２０の２層構造を有する感光性シートレジストを基材１００に貼り合せて、真空ラミネート法により貫通孔１１０に充填する。これにより、異なる性質を有する絶縁体２１０および２２０を簡易な手法により貫通孔１１０に充填することができる。
【００４９】
＜２．第２の実施の形態＞
［配線基板の構造］
図５は、本技術の第２の実施の形態における配線基板１０の構造例を示す図である。同図におけるａは断面図であり、ｂは上面図である。
【００５０】
この第２の実施の形態における配線基板１０は、基材１００として、ガラスやシリコンなどの線膨張率の低い材料を使用し、基材１００の表面から裏面に貫通する貫通孔１１０およびその側壁に導体１２０を備える点において、上述の第１の実施の形態と同様である。
【００５１】
この第２の実施の形態では、２種類の絶縁体２３０および２４０が示されている。特定の種類の絶縁体２３０は、他の種類の絶縁体２４０よりも密着性が高いものが採用される。他の種類の絶縁体２４０は、特定の種類の絶縁体２３０よりも膨張率が低いものが採用される。すなわち、両者の関係は、上述の第１の実施の形態における絶縁体２１０および２２０と同様である。
【００５２】
絶縁体２３０は、粒状の絶縁粒子である。絶縁体２４０は、絶縁体２３０の隙間を埋める樹脂である。ただし、絶縁体２４０は、真空層などの空隙であってもよい。
【００５３】
この第２の実施の形態においては、絶縁体２３０および２４０を、スキージ法により貫通孔１１０に充填することを想定する。絶縁体２３０として有機材料を想定すると、充填後に熱を加えることにより、絶縁体２３０の一部が溶融し、同図におけるｂに示すように、貫通孔１１０の側壁の導体１２０との接触部２３１において導体１２０の形状に沿って変形した状態を有する。また、同様に、絶縁体２３０は他の粒状の絶縁体２３０との接触部において互いの形状に沿って変形した状態を有する。
【００５４】
［配線基板の製造方法］
図６は、本技術の第２の実施の形態における配線基板１０の製造方法の一例を示す工程図である。
【００５５】
同図におけるａに示すように、カバーシート３１０が、基材１００の裏面に貼り合わされる。
【００５６】
同図におけるｂに示すように、絶縁体２３０および２４０が導体１２０の内側に供給され、スキージ４１０によって圧力が印加されるとともに、絶縁体２３０および２４０のうち溢れたものは除去される（スキージ法）。
【００５７】
同図におけるｃに示すように、ベイク処理において基材１００が加熱され、その後、カバーシート３１０が除去される。
【００５８】
絶縁体２３０の具体例としては、樹脂ビーズが挙げられる。具体的な製品名としては、テクノポリマーＡＲＸ、ＡＥＸ（積水化成社）などがある。
【００５９】
また、ガラスと線膨張率の近い樹脂としては、例えば、シリカビーズが挙げられる。具体的な製品名としては、シリカ球状微粒子（新日鉄住金マテリアルズ社）などがある。この製品の場合、平均粒径：０．２ｕｍと小径なものもあり、ＴＧＶ充填用としては、十分小さいサイズである。また、粒子は非晶質となり、ＣＴＥは約０．５ｐｐｍと非常に小さい。この場合、ＣＴＥがガラスの約３ｐｐｍより小さいため、例えば、充填率を５０％程度とし、空壁を樹脂で埋めることなどにより、合わせ込みが可能である。充填率の合わせ込みは、シリカ粒子の大径品および小径品を混合して、行ってもよい。樹脂の薄膜でコーティングされたシリカ粒子を用いて、隙間は空間のままの状態でもよい。
【００６０】
［有底ビア構造］
図７は、本技術の第２の実施の形態における配線基板１０の他の構造例を示す断面図である。
【００６１】
この第２の実施の形態においても、上述の第１の実施の形態と同様に、有底ビア構造を想定することができる。この場合、上述のスキージ法では、貫通孔１１０における導体１２０によって塞がれていない開口部から、絶縁体２３０および２４０を供給し、圧力を印加することになる。
【００６２】
［くびれ構造］
図８は、本技術の第２の実施の形態における配線基板１０のさらに他の構造例を示す断面図である。
【００６３】
この第２の実施の形態においても、上述の第１の実施の形態と同様に、貫通孔１１０の形状としてくびれ構造を想定することができる。このくびれ構造により、貫通孔１１０に充填される絶縁体２３０および２４０による膨張力の影響を抑制するという効果が得られる。
【００６４】
このように、本技術の第２の実施の形態では、絶縁体２３０および２４０をスキージ法により貫通孔１１０に充填する。これにより、異なる性質を有する絶縁体２３０および２４０を簡易な手法により貫通孔１１０に充填することができる。
【００６５】
＜３．変形例＞
上述の実施の形態では、感光性シートレジストまたは絶縁粒子を用いて、貫通孔１１０の導体１２０の内側に絶縁体を充填していた。ここでは、その変形例として、絶縁体を充填した後に、レーザーなどにより開口加工を施して、他の絶縁体を注入する例について説明する。
【００６６】
［第１の変形例］
図９は、本技術の実施の形態における配線基板１０の製造方法の第１の変形例を示す工程図である。
【００６７】
この例では、同図におけるａに示すように、貫通孔１１０の導体１２０の内側に絶縁体２１０を充填する。そして、同図におけるｂに示すように、レーザーなどにより開口加工を施す。その後、同図におけるｃに示すように、開口部に絶縁体２２０を注入する。これにより、２種類の絶縁体２１０および２２０を貫通孔１１０の導体１２０の内側に充填することができる。
【００６８】
［第２の変形例］
図１０は、本技術の実施の形態における配線基板１０の製造方法の第２の変形例を示す工程図である。
【００６９】
この例では、上述の第１の変形例と同様に、同図におけるａに示すように、貫通孔１１０の導体１２０の内側に絶縁体２１０を充填し、同図におけるｂに示すように、レーザーなどにより開口加工を施す。その後、同図におけるｃに示すように、開口部に絶縁体２３０および２４０を充填する。絶縁体２３０および２４０は、上述の第２の実施の形態における２種類の絶縁体２３０および２４０である。したがって、これにより、３種類の絶縁体２１０、２３０および２４０を貫通孔１１０の導体１２０の内側に充填することができる。
【００７０】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００７１】
なお、本明細書に記載された効果はあくまで例示であって、限定されるものではなく、また、他の効果があってもよい。
【００７２】
なお、本技術は以下のような構成もとることができる。
（１）基材と、
前記基材を貫通する孔と、
前記孔の側壁に沿って形成された導体と、
前記導体の内側に充填された複数種類の絶縁体と
を具備する配線基板。
（２）前記複数種類の絶縁体のうち特定の種類の絶縁体は、他の種類の絶縁体よりも密着性が高く、
前記他の種類の絶縁体は、前記特定の種類の絶縁体よりも膨張率が低い
前記（１）に記載の配線基板。
（３）前記特定の種類の絶縁体は、前記導体を被覆し、
前記他の種類の絶縁体は、前記導体の内側に形成される
前記（２）に記載の配線基板。
（４）前記特定の種類の絶縁体は、前記導体の内側において互いに孔径方向に繋がる部分を備える
前記（３）に記載の配線基板。
（５）前記特定の種類の絶縁体と前記他の種類の絶縁体の孔径方向における面積比は、貫通方向に対して変化する
前記（３）または（４）に記載の配線基板。
（６）前記他の種類の絶縁体は、前記特定の種類の絶縁体とは異なる種類の粒状の絶縁体を含む
前記（３）に記載の配線基板。
（７）前記特定の種類の絶縁体は、粒状の絶縁体であり、
前記他の種類の絶縁体は、前記粒状の絶縁体の隙間に充填される
前記（２）に記載の配線基板。
（８）前記粒状の絶縁体は、前記導体との接触部において前記導体の形状に沿って変形した状態を有する
前記（７）に記載の配線基板。
（９）前記粒状の絶縁体は、他の前記粒状の絶縁体との接触部において互いの形状に沿って変形した状態を有する
前記（７）または（８）に記載の配線基板。
（１０）前記貫通する孔の一方の開口部を塞ぐ他の導体をさらに具備する前記（１）から（９）のいずれかに記載の配線基板。
（１１）前記基材は、シリコンまたはガラスである
前記（１）から（１０）のいずれかに記載の配線基板。
（１２）貫通する孔と前記孔の側壁に沿って形成された導体とを備える基材の少なくとも一方の面に複数種類の絶縁体からなるシート材を貼る工程と、
真空下で圧力を加えて前記シート材を前記導体の内側に充填させる工程と
を具備する配線基板の製造方法。
（１３）貫通する孔と前記孔の側壁に沿って形成された導体とを備える基材の一方の面から粒状の絶縁体を含む複数種類の絶縁体を前記導体の内側に供給する工程と、
前記基材の一方の面から前記導体の内側の前記複数種類の絶縁体に圧力を印加する工程と
を具備する配線基板の製造方法。
【符号の説明】
【００７３】
１０  配線基板
１００  基材
１１０  貫通孔
１２０  導体
２１０、２２０、２３０、２４０  絶縁体
２３１  接触部
３１０  カバーシート
４１０  スキージ
【図１】
2020031521.tif 000003
【図２】
2020031521.tif 000004
【図３】
2020031521.tif 000005
【図４】
2020031521.tif 000006
【図５】
2020031521.tif 000007
【図６】
2020031521.tif 000008
【図７】
2020031521.tif 000009
【図８】
2020031521.tif 000010
【図９】
2020031521.tif 000011
【図１０】
2020031521.tif 000012
【国際調査報告】
2020031521.tif 000013
2020031521.tif 000014
2020031521.tif 000015
2020031521.tif 000016